(57)【要約】【課題】集中コントローラといった別途部品なしでリモコン装置の遠隔操作の有効／無効設定を実行できるようにすること、並びにその設定情報を保持することにより、低コストでかつ簡単にリモコン装置の遠隔操作の有効／無効設定ができる空調機のリモコン装置および空調機システムが求められている。【解決手段】空調機のリモコン装置１は、空調機の各種運転状態の設定を各種の操作入力部２から遠隔操作する装置において、操作入力部２からの操作入力の無効を設定するための操作禁止設定モードへ操作モードを切替えるモード切替手段１１と、モード切替手段１１により切替えられた操作禁止設定モードでの操作入力部２からの操作入力の無効を設定する操作入力無効設定手段１１と、操作入力無効設定手段１１により設定された操作入力の無効設定状態を表示する操作禁止モード表示部３４とを備えている。【選択図】      図１
2004294029.tif 000002
【特許請求の範囲】
【請求項１】
空調機の運転、停止、運転モード等の各種運転状態の設定を各種の操作入力部から遠隔操作するリモコン装置において、前記操作入力部からの操作入力の無効を設定するための操作禁止設定モードへ操作モードを切替えるモード切替手段と、前記モード切替手段により切替えられた操作禁止設定モードでの前記操作入力部からの操作入力の無効を設定する操作入力無効設定手段と、前記操作入力無効設定手段により設定された操作入力の無効設定状態を表示する操作入力状態表示手段とを備えていることを特徴とする空調機のリモコン装置。
【請求項２】
操作入力無効設定手段により設定された操作入力の無効設定状態を不揮発記憶するリモコン側メモリ手段を備えていることを特徴とする請求項１に記載の空調機のリモコン装置。
【請求項３】
空調機と、前記空調機と通信回線を介して接続され、前記空調機の運転、停止、運転モード等の各種運転状態の設定を各種の操作入力部から遠隔操作するリモコン装置とを備えてなる空調システムにおいて、前記リモコン装置は、前記操作入力部からの操作入力の無効を設定するための操作禁止設定モードへ操作モードを切替えるモード切替手段と、前記モード切替手段により切替えられた操作禁止設定モードでの前記操作入力部からの操作入力の無効を設定する操作入力無効設定手段と、前記操作入力無効設定手段により設定された空調機の操作入力の無効設定情報を前記通信回線を介して前記空調機に送信する操作入力無効情報送信手段と、接続された空調機から操作入力の無効設定情報を収集する操作入力無効情報モニタ手段とを有し、前記空調機は、接続されたリモコン装置から受信した操作入力の無効設定情報を不揮発記憶する空調機側メモリ手段と、接続されたリモコン装置からの要求に応じて、前記空調機側メモリ手段に不揮発記憶されている操作入力の無効設定情報を前記リモコン装置へ応答する操作入力無効情報応答手段とを有していることを特徴とする空調機システム。
【発明の詳細な説明】
【０００１】
【発明の属する技術分野】
この発明は、空調機の各種運転状態の遠隔操作の有効／無効（以下、「／」で表した場合は「または」を意味する）を設定する空調機のリモコン装置および空調機システムに関する。
【０００２】
【従来の技術】
従来、この種の空調機のリモコン装置および空調機システムとしては、例えば下記する特許文献１に開示されたものが知られている。特許文献１開示のリモコン装置および空調機システムは、空調機のリモコン装置と通信回線を介して接続された集中コントローラを備え、リモコン装置から設定される空調機の各種運転状態の遠隔操作の有効／無効を集中コントローラから設定するようになっている。
【０００３】
【特許文献１】
特開平１０−１４８３８１号公報
【０００４】
【発明が解決しようとする課題】
上記したように、従来の空調機のリモコン装置および空調機システムは、リモコン装置による遠隔操作の有効／無効を設定する機能を有する集中コントローラが別途必要である。そのため、システム全体として製作コストが高騰するとともに、リモコン装置の接続情報設定など遠隔操作の有効／無効を設定するための操作が複雑になるという問題があった。
【０００５】
この発明は、上述のような課題を解決するためになされたもので、集中コントローラといった別途部品なしでリモコン装置の遠隔操作の有効／無効設定を実行できるようにすること、並びにその設定情報を保持することにより、低コストでかつ簡単にリモコン装置の遠隔操作の有効／無効設定ができることを目的とする。
【０００６】
【課題を解決するための手段】
前記目的を達成するために、本発明に係る空調機のリモコン装置は、空調機の運転、停止、運転モード等の各種運転状態の設定を各種の操作入力部から遠隔操作するリモコン装置において、操作入力部からの操作入力の無効を設定するための操作禁止設定モードへ操作モードを切替えるモード切替手段と、モード切替手段により切替えられた操作禁止設定モードでの操作入力部からの操作入力の無効を設定する操作入力無効設定手段と、操作入力無効設定手段により設定された操作入力の無効設定状態を表示する操作入力状態表示手段とを備えているものである。
【０００７】
また、前記構成において、操作入力無効設定手段により設定された操作入力の無効設定状態を不揮発記憶するリモコン側メモリ手段を備えているものである。
【０００８】
そして、本発明に係る空調機システムは、空調機と、空調機と通信回線を介して接続され、空調機の運転、停止、運転モード等の各種運転状態の設定を各種の操作入力部から遠隔操作するリモコン装置とを備えてなる空調システムにおいて、リモコン装置は、操作入力部からの操作入力の無効を設定するための操作禁止設定モードへ操作モードを切替えるモード切替手段と、モード切替手段により切替えられた操作禁止設定モードでの操作入力部からの操作入力の無効を設定する操作入力無効設定手段と、操作入力無効設定手段により設定された空調機の操作入力の無効設定情報を通信回線を介して空調機に送信する操作入力無効情報送信手段と、接続された空調機から操作入力の無効設定情報を収集する操作入力無効情報モニタ手段とを有し、空調機は、接続されたリモコン装置から受信した操作入力の無効設定情報を不揮発記憶する空調機側メモリ手段と、接続されたリモコン装置からの要求に応じて、空調機側メモリ手段に不揮発記憶されている操作入力の無効設定情報をリモコン装置へ応答する操作入力無効情報応答手段とを有しているものである。
【０００９】
【発明の実施の形態】
実施の形態１．
図１はこの発明の実施の形態１に係る空調機のリモコン装置の構造を示すものである。図１において、リモコン装置１は、空調機の運転、停止、運転モード等の各種運転状態を設定操作するための操作入力部２と、空調機の運転状態等を表示するための状態表示部３と、操作入力部２からの信号を入力してデータ処理し状態表示部３へ出力するマイコン等から成る操作入力処理部１１とを備えている。
【００１０】
操作入力部２は、空調機の運転／停止状態を操作するための発停操作入力ボタン２１、空調機の冷房や暖房などの運転モードを操作するための運転モード操作入力ボタン２２、空調機の設定温度を操作するための設定温度操作入力ボタン２３、および、各種操作入力ボタン２１，２２，２３からの入力の有効／無効を各ボタンごとに個別に設定するための操作禁止設定モードへモードを切替えるためのモード切替操作入力ボタン２４を備えて構成されている。
【００１１】
状態表示部３は、空調機の運転／停止状態を表示する発停状態表示部３１、空調機の冷房や暖房などの運転モードを表示する運転モード状態表示部３２、空調機の設定温度を表示する設定温度状態表示部３３、および、各種操作入力ボタン２１，２２，２３からの入力の有効／無効の設定状態を表示する操作禁止モード表示部３４を備えて構成されている。
【００１２】
上記のように構成されたリモコン装置１は、利用者によりモード切替操作入力ボタン２４が押されると、モード切替手段および操作入力無効設定手段の機能を有する操作入力処理部１１が操作禁止設定モードへのモード切替を行い、操作禁止モード表示部３４（操作入力状態表示手段）へ操作禁止設定モードの内容を出力して表示させる。再度、モード切替操作入力ボタン２４が押されると、操作入力処理部１１は操作禁止設定モードを解除して操作有効設定モードに切替え、係るモードの切替りを操作禁止モード表示部３４に表示させる。このように制御することで、利用者にモードの切替わりを安易に確認させることができる。
【００１３】
この場合、操作禁止設定モードにある状態で、リモコン装置１からの操作入力を禁止にしたい操作入力ボタン２１〜２３を押すことで、それらのボタンの持つ操作入力を無効に設定し、再度ボタンを押すことで操作入力を有効に設定するようになっている。このように、操作入力の有効／無効を設定したい操作入力ボタンを直接押すことにより、簡単に設定操作できる。また、操作入力が無効となった項目を各状態表示部３１〜３３に表示させることで、現在の操作入力の有効／無効設定状態を利用者に安易に確認することができる。
【００１４】
実施の形態２．
なお、実施の形態１では操作禁止設定モードへの切替操作入力ボタン２４を専用の入力ボタンとして設けているが、例えば発停操作入力ボタン２１を数秒間押し続けるとか、数回連続押しするとか、発停操作入力ボタン２１と運転モード操作入力ボタン２２とを同時押しすることで、操作禁止設定モードと操作有効設定モードとの切替えを行うような機能を操作入力処理部１１に持たせることでも、同様のモード切替操作が実施できる。
【００１５】
さらに、操作入力を無効設定にしたい操作入力ボタン２１，２２，２３を数秒間押し続けることで、そのボタンの入力を無効に設定できるような機能を操作入力処理部１１に持たせても、同様な設定ができる。例えば、発停と運転モードの操作入力を無効に設定したい場合は、発停操作入力ボタン２１と運転モード操作入力ボタン２２を数秒間押し続ける。そのときに操作禁止モード表示部３４と発停状態表示部３１と運転モード状態表示部３２を数秒間点滅させることで、操作入力が無効に設定されたことを表示させるようにしても、実施の形態１と同様に簡単に設定操作および状態確認を行うことができる。
【００１６】
実施の形態３．
また、例えば発停操作入力ボタン２１と運転モード操作入力ボタン２２を数秒間同時に押すといったように特定の操作入力ボタンの操作により、例えば全ての操作入力を無効にするというような固定パターンの操作入力を無効にする機能を操作入力処理部１１に持たせることも可能である。このように構成することで、より簡単な設定操作を行うことができる。
【００１７】
実施の形態４．
図２はこの発明の実施の形態４に係る空調機のリモコン装置の構成を示すものである。図２において、リモコン装置１は、実施の形態１〜３で入力されたような操作情報を処理する操作入力処理部１１（操作入力無効設定手段）と、操作入力処理部１１により処理されて設定された操作入力無効情報を保持する設定情報保持部１２（リモコン側メモリ手段）とを備えている。設定情報保持部１２は不揮発性メモリで構成され、操作入力処理部１１により設定された操作入力の無効設定状態を不揮発記憶するようになっている。
【００１８】
多くの場合、リモコン装置は外部からの供給電源で動作するようになっている。そして、リモコン装置１は操作入力処理部１１で処理された操作入力無効情報を処理の度に設定情報保持部１２で保持するようになっている。そして、このリモコン装置１は、設定情報保持部１２として不揮発性メモリを使用してあるので、外部からの電源供給が遮断された場合でも、電源遮断直前に設定した操作入力無効情報を設定情報保持部１２から読み出すことができる。そのため、操作入力を無効にするための同様の設定操作を再度実施する必要がなく、操作入力無効情報を電源遮断直前の状態に復元できるのである。
【００１９】
実施の形態５．
図３はこの発明の実施の形態５に係る空調機システムの構成を示すものである。図３において、この空調機システムは、リモコン装置１と空調機４とが通信回線５を介して接続されている。リモコン装置１は、実施の形態１〜３のように操作入力無効情報を設定する操作入力処理部１１（モード切替手段および操作入力無効設定手段）と、操作入力処理部１１により設定されたような操作入力無効情報を保持する設定入力保持部１２Ａと、設定入力保持部１２Ａに保持された設定情報を空調機４に送信するデータ通信処理部１３（操作入力無効情報送信手段）とを備えている。空調機４は、リモコン装置１から送信された設定情報を受信するデータ通信処理部４１（操作入力無効情報応答手段）と、データ通信処理部４１により受信された設定情報を保持するリモコン情報記録部４２（空調機側メモリ手段）とを備えている。リモコン装置１の設定入力保持部１２Ａはコスト上の問題から揮発性メモリで構成され、空調機４のリモコン情報記録部４２は不揮発性メモリで構成されている。
【００２０】
図４はこの空調機システムの通信シーケンスを示しており、リモコン装置１で設定入力した操作入力無効情報を空調機４で不揮発記憶し、その情報を再度リモコン装置１に復元するようになっている。すなわち、図４において、空調機システムのリモコン装置１は、操作禁止設定モードが解除された時点での操作入力無効情報をデータ通信処理部１３、通信回線５、データ通信処理部４１を介して空調機４に通報する。通報コマンドを受信した空調機４はその情報をリモコン情報記録部４２に不揮発記憶する。リモコン装置１の操作入力処理部１１（操作入力無効情報モニタ手段）は電源投入時に空調機４にモニタコマンドを送信して操作入力無効情報をモニタし、空調機４はそのモニタコマンドを受信した場合に、リモコン情報記録部４２から操作入力無効情報を読み出し、リモコン装置１にモニタ応答する。このような通信処理機能をリモコン装置１および空調機４に持たせることで、低コストかつ簡単にリモコン装置１の遠隔操作の有効／無効の設定を復元することができる。
【００２１】
【発明の効果】
以上詳述したように、本発明によれば、空調機のリモコン装置のモード切替手段が操作入力部からの操作入力無効を設定するための操作禁止設定モードへ操作モードを切替え、操作入力無効設定手段がモード切替手段により切替えられた操作禁止設定モードでの操作入力部からの操作入力の無効を設定し、操作入力状態表示手段が操作入力無効設定手段により設定された操作入力の無効設定状態を表示するようになっているので、リモコン装置による空調機遠隔操作の有効／無効の設定や確認を、簡単な構成かつ低コストで実現することができる。
【図面の簡単な説明】
【図１】この発明の実施の形態１〜３に係る空調機のリモコン装置を示す構造図である。
【図２】この発明の実施の形態４に係る空調機のリモコン装置の構成図である。
【図３】この発明の実施の形態５に係る空調機システムの構成図である。
【図４】この発明の実施の形態５に係る空調機システムの通信シーケンス図である。
【符号の説明】
１  リモコン装置、２  操作入力部、３  状態表示部、４  空調機、５  通信回線、１１  操作入力処理部、１２  設定情報保持部、１２Ａ  設定入力保持部、１３  データ通信処理部、２１  発停操作入力ボタン、２２  運転モード操作入力ボタン、２３  設定温度操作入力ボタン、２４  モード切替操作入力ボタン、３１  発停状態表示部、３２  運転モード状態表示部、３３  設定温度状態表示部、３４  操作禁止モード表示部、４１  データ通信処理部、４２  リモコン情報記録部。
【図１】
2004294029.tif 000003
【図２】
2004294029.tif 000004
【図３】
2004294029.tif 000005
【図４】
2004294029.tif 000006